(57)【要約】【課題】設置環境に対応してユーザが設置時に行なう各種調整作業を簡素化する。【解決手段】投影動作時に調整された各種投影条件（ステップＡ03〜Ａ07）を入力して記憶するステップＡ08〜Ａ11と、記憶した投影条件に基づき、プロジェクタ装置(10)の各調整部に各投影条件を一括して再設定させるステップＡ13〜Ａ17とを有する。【選択図】      図４
2006025232.tif 000002
【特許請求の範囲】
【請求項１】
画像を投影する投影手段、及びこの投影手段による投影動作時の複数の投影条件を調整する調整手段を備える投影装置と、
この投影装置と接続されて各種情報を入出力する接続手段、この接続手段を介して上記調整手段で投影動作時に調整された複数の投影条件を入力して記憶する記憶手段、及びこの記憶手段で記憶した投影条件に基づき、上記接続手段を介して上記投影装置の調整手段により複数の投影条件を一括して再設定させる投影制御手段を備える情報処理装置と
を有したことを特徴とする投影システム。
【請求項２】
上記記憶手段が記憶する投影条件は、上記投影手段から投影対象までの投影距離、上記投影手段の投影光軸と投影対象の面とがなす角度に基づいた台形補正情報、上記投影手段の投影画角、及び上記投影装置の設置姿勢角度のうちの少なくとも２つを含むことを特徴とする請求項１記載の投影システム。
【請求項３】
上記記憶手段は、複数の投影位置に対応した投影条件をその識別情報と共に記憶し、
上記情報処理装置は、
上記記憶手段で複数の投影位置に対応した投影条件をその識別情報と共に記憶し、
この記憶手段に記憶された複数の投影条件から１つをその識別情報に基づいて選択する選択手段をさらに具備し、
上記投影制御手段でこの選択手段で選択した投影条件に基づいて上記調整手段により複数の投影条件を一括して再設定させる
ことを特徴とする請求項１記載の投影システム。
【請求項４】
上記情報処理装置は、上記識別情報を任意に入力する入力手段をさらに具備したことを特徴とする請求項３記載の投影システム。
【請求項５】
上記情報処理装置は、上記接続手段を介して上記調整手段による投影動作時の複数の投影条件の調整を指示する指示手段をさらに具備したことを特徴とする請求項１記載の投影システム。
【請求項６】
上記情報処理装置は、上記記憶手段に投影条件と対応付けて投影する画像データファイルの識別情報を記憶させることを特徴とする請求項１記載の投影システム。
【請求項７】
画像を投影する投影手段、及びこの投影手段による投影動作時の複数の投影条件を調整する調整手段を備えた投影装置と、各種情報を入出力する接続手段を介して接続された情報処理装置の投影条件設定方法であって、
上記接続手段を介して上記調整手段で投影動作時に調整された複数の投影条件を入力して記憶する記憶工程と、
この記憶工程で記憶した投影条件に基づき、上記接続手段を介して上記投影装置の調整手段により複数の投影条件を一括して再設定させる投影制御工程と
を有したことを特徴とする投影条件設定方法。
【請求項８】
画像を投影する投影手段、及びこの投影手段による投影動作時の複数の投影条件を調整する調整手段を備えた投影装置と、各種情報を入出力する接続手段を介して接続されたコンピュータが実行するプログラムであって、
上記接続手段を介して上記調整手段で投影動作時に調整された複数の投影条件を入力して記憶する記憶ステップと、
この記憶ステップで記憶した投影条件に基づき、上記接続手段を介して上記投影装置の調整手段により複数の投影条件を一括して再設定させる投影制御ステップと
をコンピュータに実行させることを特徴とするプログラム。
【発明の詳細な説明】
【技術分野】
【０００１】
本発明は、各種投影条件を調整可能な投影装置を含む投影システム、投影条件設定方法及びプログラムに関する。
【背景技術】
【０００２】
従来、最適な設置条件を表示することにより、ユーザの設置作業を簡素化するようにしたプロジェクタ装置が考えられていた。（例えば、特許文献１）
【特許文献１】特開平０９−２４４１３８号公報
【発明の開示】
【発明が解決しようとする課題】
【０００３】
上記特許文献に記載された技術は、そのプロジェクタ装置単体の光学投影特性等から、適切と思われる各種の設置条件を表示するものであり、実際に使用される環境を考慮したものではない。
【０００４】
そして、プロジェクタ装置を実際に使用される環境下で適切に設置するためには、ユーザ自身がその都度各種の設置条件、具体的には設置位置、投影角度、投影（ズーム）画角、合焦位置等を個別に調整しなければならず、作業が非常に煩雑であった。
【０００５】
また、近年は自動合焦機能や自動台形補正機能等を搭載したプロジェクタ装置が商品化されているが、これらの機能はいずれも個々の要因についての調整を自動化したものに過ぎず、設置時に必要な作業すべてを一括して自動化するものではない。
【０００６】
本発明は上記のような実情に鑑みてなされたもので、その目的とするところは、設置環境に対応してユーザが設置時に行なう各種調整作業を簡素化することが可能な投影システム、投影条件設定方法及びプログラムを提供することにある。
【課題を解決するための手段】
【０００７】
請求項１記載の発明は、画像を投影する投影手段、及びこの投影手段による投影動作時の複数の投影条件を調整する調整手段を備える投影装置と、この投影装置と接続されて各種情報を入出力する接続手段、この接続手段を介して上記調整手段で投影動作時に調整された複数の投影条件を入力して記憶する記憶手段、及びこの記憶手段で記憶した投影条件に基づき、上記接続手段を介して上記投影装置の調整手段により複数の投影条件を一括して再設定させる投影制御手段を備える情報処理装置とを有したことを特徴とする。
【０００８】
請求項２記載の発明は、上記請求項１記載の発明において、上記記憶手段が記憶する投影条件は、上記投影手段から投影対象までの投影距離、上記投影手段の投影光軸と投影対象の面とがなす角度に基づいた台形補正情報、上記投影手段の投影画角、及び上記投影装置の設置姿勢角度のうちの少なくとも２つを含むことを特徴とする。
【０００９】
請求項３記載の発明は、上記請求項１記載の発明において、上記記憶手段は、複数の投影位置に対応した投影条件をその識別情報と共に記憶し、上記情報処理装置は、上記記憶手段で複数の投影位置に対応した投影条件をその識別情報と共に記憶し、この記憶手段に記憶された複数の投影条件から１つをその識別情報に基づいて選択する選択手段をさらに具備し、上記投影制御手段でこの選択手段で選択した投影条件に基づいて上記調整手段により複数の投影条件を一括して再設定させることを特徴とする。
【００１０】
請求項４記載の発明は、上記請求項３記載の発明において、上記情報処理装置は、上記識別情報を任意に入力する入力手段をさらに具備したことを特徴とする。
【００１１】
請求項５記載の発明は、上記請求項１記載の発明において、上記情報処理装置は、上記接続手段を介して上記調整手段による投影動作時の複数の投影条件の調整を指示する指示手段をさらに具備したことを特徴とする。
【００１２】
請求項６記載の発明は、上記請求項１記載の発明において、上記情報処理装置は、上記記憶手段に投影条件と対応付けて投影する画像データファイルの識別情報を記憶させることを特徴とする。
【００１３】
請求項７記載の発明は、画像を投影する投影手段、及びこの投影手段による投影動作時の複数の投影条件を調整する調整手段を備えた投影装置と、各種情報を入出力する接続手段を介して接続された情報処理装置の投影条件設定方法であって、上記接続手段を介して上記調整手段で投影動作時に調整された複数の投影条件を入力して記憶する記憶工程と、
この記憶工程で記憶した投影条件に基づき、上記接続手段を介して上記投影装置の調整手段により複数の投影条件を一括して再設定させる投影制御工程とを有したことを特徴とする。
【００１４】
請求項８記載の発明は、画像を投影する投影手段、及びこの投影手段による投影動作時の複数の投影条件を調整する調整手段を備えた投影装置と、各種情報を入出力する接続手段を介して接続されたコンピュータが実行するプログラムであって、上記接続手段を介して上記調整手段で投影動作時に調整された複数の投影条件を入力して記憶する記憶ステップと、この記憶ステップで記憶した投影条件に基づき、上記接続手段を介して上記投影装置の調整手段により複数の投影条件を一括して再設定させる投影制御ステップとをコンピュータに実行させることを特徴とする。
【発明の効果】
【００１５】
請求項１記載の発明によれば、投影装置に接続されたパーソナルコンピュータ等の情報処理装置の側で、投影した場所の投影条件を記憶しておき、同じ場所で２度目以降設置する際の投影条件を再設定により一括して自動化させることができる。
【００１６】
請求項２記載の発明によれば、上記請求項１記載の発明の効果に加えて、具体的に自動合焦、自動台形補正、自動ズーム、及び自動脚長調整のうちの少なくとも２つを一括して自動化させることができる。
【００１７】
請求項３記載の発明によれば、上記請求項１記載の発明の効果に加えて、複数の設置位置に対応した投影条件をその識別情報と共に記憶し、識別情報を選択指定することで対応する投影条件を再設定させるようにしたので、複数の場所でシステムを使い回す場合にもそれぞれの設置位置に対応して投影条件を再設定により一括して自動化させることができる。
【００１８】
請求項４記載の発明によれば、上記請求項３記載の発明の効果に加えて、分かり易い識別情報を任意に入力可能とすることで、複数のユーザがシステムを使用する場合でも即時必要な投影条件を選択でき、より使い勝手を向上できる。
【００１９】
請求項５記載の発明によれば、上記請求項１記載の発明の効果に加えて、はじめの調整自体も含めてすべて情報処理装置側からの指示により実行可能とすることで、より使い勝手を向上できる。
【００２０】
請求項６記載の発明によれば、上記請求項１記載の発明の効果に加えて、実際に投影した画像データファイルの識別情報を記憶させておき、その内容を確認することで、より容易に過去の設置状況を把握することが可能となる。
【００２１】
請求項７記載の発明によれば、投影装置に接続されたパーソナルコンピュータ等の情報処理装置の側で、投影した場所の投影条件を記憶しておき、同じ場所で２度目以降設置する際の投影条件を再設定により一括して自動化させることができる。
【００２２】
請求項８記載の発明によれば、投影装置に接続されたパーソナルコンピュータ等の側で、投影した場所の投影条件を記憶しておき、同じ場所で２度目以降設置する際の投影条件を再設定により一括して自動化させることができる。
【発明を実施するための最良の形態】
【００２３】
以下本発明をプロジェクタ装置とパーソナルコンピュータとからなる投影システムに適用した場合の実施の一形態について図面を参照して説明する。
【００２４】
図１は、プロジェクタ装置１０とノートタイプのパーソナルコンピュータＰＣとをＵＳＢケーブルＣＡ１及びＲＧＢケーブルＣＡ２で接続した状態を例示するものである。
【００２５】
この場合、パーソナルコンピュータＰＣに予めインストールしてある投影条件設定用のソフトウェアに基づいて後述する投影条件の設定処理を実行し、ＵＳＢケーブルＣＡ１を介して制御情報を送出してプロジェクタ装置１０の投影条件を正しく整えた上で、例えばプレゼンテーション用のソフトウェアを実行し、プレゼンテーションの画像データをＲＧＢケーブルＣＡ２を介してプロジェクタ装置１０側に送信し、プロジェクタ装置１０により投影表示させるものである。
【００２６】
なお、パーソナルコンピュータＰＣの特にハードウェアの構成については、ごく一般的なものと基本的に同様であるものとして、その説明と図示は省略する。
【００２７】
図２は、投影制御対象となる上記プロジェクタ装置１０単体の外観構成を示すもので、図２（Ａ）は主として筐体前面及び上面の、図２（Ｂ）は筐体背面及び下面のそれぞれ配置構成を示す。
【００２８】
図２（Ａ）に示すように、直方体状の本体ケーシング１１の前面に、投影レンズ１２、、測距センサ１３、及びＩｒ受信部１４が配設される。
【００２９】
投影レンズ１２は、後述するマイクロミラー素子等の空間的光変調素子で形成された光像をスクリーン等の対象に投影するためのものであり、ここでは合焦位置及びズーム位置（投影画角）を任意に可変できるものとする。
【００３０】
測距センサ１３は、２対の位相差センサの一方が水平方向、他方が垂直方向となるように互いに直交する方向に配置され、それぞれ被写体像に対する視差から三角測距の原理に基づいて所定の明暗パターンまでの距離を一次元的な検出ラインに沿って測定する。
【００３１】
Ｉｒ受信部１４は、図示しないこのプロジェクタ装置１０のリモートコントローラからのキー操作信号が重畳された赤外光（Ｉｒ）信号を受信する。
【００３２】
また、本体ケーシング１１の上面には、スピーカ１８が配設される。このスピーカ１８は、入力された音声信号及び動作時のビープ音等を拡声放音する。
【００３３】
また、図２（Ｂ）に示すように本体ケーシング１１の背面には、入出力コネクタ部１９、Ｉｒ受信部２０、及びＡＣアダプタ接続部２１が配設される。  
入出力コネクタ部１９は、パーソナルコンピュータ等の外部装置との接続のためのＵＳＢ端子、ＲＧＢ信号等による映像入力用のミニＤ−ＳＵＢ端子、Ｓ端子、及びＲＣＡ端子と、音声入力用のステレオミニ端子等からなる。
【００３４】
Ｉｒ受信部２０は、上記Ｉｒ受信部１４と同様に、図示しないリモートコントローラからのキー操作信号が重畳された赤外光（Ｉｒ）信号を受信する。  
ＡＣアダプタ接続部２１は、電源となる図示しないＡＣアダプタからのケーブルを接続する。
【００３５】
さらに、本体ケーシング１１の下面には、その四隅にそれぞれ高さ調節が可能な調整脚部２２ａ〜２２ｄが取り付けられる。これら調整脚部２２ａ，２２ｂ，２２ｃ，２２ｄはいずれも上記キーボード部１６でのキー操作によりその長さが調整される。
【００３６】
この図２（Ｂ）の状態では、前側に位置する一対の調整脚部２２ａ，２２ｂが共に若干長く調整されると共に、後側に位置する一対の調整脚部２２ｃ，２２ｄは最も短い状態に調整されている。
【００３７】
したがって、この状態のままのプロジェクタ装置１０を水平な場所に設置した場合、投影レンズ１２の投影光軸が投影レンズ１２の取付け面に対して垂直な方向であるとすれば、実際の投影レンズ１２の投影光軸は若干の仰角をもち、多少上側に向けて投影対象の図示しないスクリーンに出射されることとなる。
【００３８】
そのため、もし投影対象のスクリーンが鉛直方向に張設されるものとすれば、スクリーンの上端に近付くほど投影レンズ１２との距離が大きくなるので、自動台形補正を行なわない状態では、矩形の画像を投影した場合にスクリーン上では、上底の方が下底よりも長い台形の画像が投影表示されることとなる。
【００３９】
次に図３により上記プロジェクタ装置１０の電子回路の機能構成について説明する。図中、入出力コネクタ部１９より入力された各種規格の画像信号が、入出力インタフェース（Ｉ／Ｆ）３１、システムバスＳＢを介して画像変換部３２で所定のフォーマットの画像信号に統一された後に、表示エンコーダ３３へ送られる。
【００４０】
表示エンコーダ３３は、送られてきた画像信号をビデオＲＡＭ３４に展開記憶させた上でこのビデオＲＡＭ３４の記憶内容からビデオ信号を生成して表示駆動部３５に出力する。
【００４１】
この表示駆動部３５は、送られてきた画像信号に対応して適宜フレームレート、例えば３０［フレーム／秒］に従ったより高速な時分割駆動で空間的光変調素子（ＳＯＭ）３６を表示駆動するもので、この空間的光変調素子３６に対して、例えばリフレクタ３７内に配置された超高圧水銀灯等の光源ランプ３８が出射する高輝度の白色光をカラーホイール３９を介して適宜原色に着色し、ミラー４０を介して照射することで、その反射光で光像が形成され、上記投影レンズ１２を介してここでは図示しないスクリーンに投影表示される。
【００４２】
しかるに、上記投影レンズ１２はレンズモータ（Ｍ）４１に駆動されることでズーム位置及びフォーカス位置を適宜移動する。  
上記各回路のすべての動作制御を司るのが制御部４２である。この制御部４２は、ＣＰＵと、このプロジェクタ装置１０内で実行される動作プログラムを記憶した不揮発性メモリ、及びワークメモリ、電源のオン／オフに関係なく現在時刻を計時し続けるＲＴＣ（Ｒｅａｌ  Ｔｉｍｅ  Ｃｌｏｃｋ）等により構成され、上記入出力コネクタ部１９を介して外吹雪機から入力された制御指令あるいは上記Ｉｒ受信部１４，２０で受信されたリモートコントローラからのキー操作信号に対応して各種等動作を実行させる。
【００４３】
この制御部４２にはまた、システムバスＳＢを介して脚駆動部４５、測距処理部４６、及び音声処理部４７が接続される。
【００４４】
脚駆動部４５は、上記制御部４２の制御の下に、上記本体ケーシング１１の下面に装着された上記調整脚部２２ａ〜２２ｄにそれぞれ接続された図示しない各モータを個別に回転駆動し、上記調整脚部２２ａ〜２２ｄの脚長を調整することで、設置されている本体ケーシング１１の姿勢を制御する。
【００４５】
測距処理部４６は、上記測距センサ１３を駆動して投影対象までの縦方向及び横方向の距離を測定する。
【００４６】
音声処理部４７は、ＰＣＭ音源等の音源回路を備え、投影表示動作時に与えられる音声データをアナログ化し、上記スピーカ１８を駆動して拡声放音させる。  
次に上記実施の形態の動作について説明する。  
図４は、製品としてのプロジェクタ装置１０に同梱されたドライバ用ソフトウェアであり、パーソナルコンピュータＰＣに予めインストールしておくことで、プロジェクタ装置１０をＵＳＢケーブルＣＡ１及びＲＧＢケーブルＣＡ２によりパーソナルコンピュータＰＣに接続した状態でパーソナルコンピュータＰＣで実行される、プロジェクタ装置１０の投影条件設定用のプログラムの処理内容を示すものである。
【００４７】
その当初に当該アプリケーションソフトを立上げると（ステップＡ０１）、パーソナルコンピュータＰＣの表示画面に図５に示すようなキー操作ウィンドウＫＷが表示される。  
図５に示すキー操作ウィンドウＫＷは、例えばＡＦ（Ａｕｔｏｍａｔｉｃ  Ｆｏｃｕｓ：自動合焦）キーＫａ、ＡＫＳＣ（Ａｕｔｏｍａｔｉｃ  Ｋｅｙ−Ｓｔｏｎｅ  Ｃｏｒｒｅｃｔｉｏｎ：自動台形補正合焦）キーＫｂ、ズームキーＫｃ、高さキーＫｄ、左右キーＫｅ、信号選択キーＫｆ、設定表示キーＫｇ、設定入力キーＫｈ、設定記憶キーＫｉ、及び自動設定キーＫｊからなる。
【００４８】
ＡＦキーＫａは、上記プロジェクタ装置１０の測距センサ１３と測距処理部４６の駆動によりプロジェクタ装置１０から投影対象となるスクリーンまでの距離を測定して合焦位置とさせる場合にパーソナルコンピュータＰＣのマウス等のポインティングデバイスによりポインタＰを合わせてクリック操作するもので、図示する如くショートカットキー「Ｆ」の操作でも同様の指示が可能となるものとする。
【００４９】
ＡＫＳＣキーＫｂは、投影対象となるスクリーンの面に対して投影レンズ１２の投影光軸が垂直となっておらず、本来矩形である投影画像が台形となって投影されてしまう場合にその補正をクリック操作により指示するもので、図示する如くショートカットキー「Ｋ」の操作でも同様の指示が可能となるものとする。
【００５０】
ズームキーＫｃは、シーソー型のキースイッチとして表示され、投影画角の広角化（ズームアップ（△））あるいは狭角化（ズームダウン（▽））をクリック操作により指示するもので、図示する如くショートカットキー「Ｔ」，「Ｗ」の操作でも同様の指示が可能となるものとする。
【００５１】
高さキーＫｄは、シーソー型のキースイッチとして表示され、上記調整脚部２２ａ〜２２ｄの前側（２２ａ，２２ｂ）と後側（２２ｃ，２２ｄ）の相対的な脚長を制御することで投影画像を高く（△）するか、低く（▽）するかをクリック操作により指示するもので、図示する如くショートカットキー「Ｕ」，「Ｄ」の操作でも同様の指示が可能となるものとする。
【００５２】
左右キーＫｅは、シーソー型のキースイッチとして表示され、上記調整脚部２２ａ〜２２ｄの右側（２２ｂ，２２ｃ）と左側（２２ａ，２２ｄ）の相対的な脚長を制御することで投影画像の右側（△）または左側（△）のいずれを高くするかをクリック操作により指示するもので、図示する如くショートカットキー「Ｒ」，「Ｌ」の操作でも同様の指示が可能となるものとする。
【００５３】
信号選択キーＫｆは、入力される映像、音声の信号の順次選択をクリック操作により指示するもので、図示する如くショートカットキー「Ｓ」の操作でも同様の指示が可能となるものとする。
【００５４】
設定表示キーＫｇは、このパーソナルコンピュータＰＣの表示画面に投影条件を構成する各種データの表示をクリック操作により指示するもので、図示する如くショートカットキー「Ｖ」の操作でも同様の指示が可能となるものとする。
【００５５】
設定入力キーＫｈは、投影条件に対応する場所名を入力してこのパーソナルコンピュータＰＣの表示画面に表示させる際にクリック操作するもので、図示する如くショートカットキー「Ｉ」の操作でも同様の指示が可能となるものとする。
【００５６】
設定記憶キーＫｉは、投影条件を構成する各種データとそれに対応して入力された場所名とを投影条件のファイルとして記憶させる際にクリック操作するもので、図示する如くショートカットキー「Ｍ」の操作でも同様の指示が可能となるものとする。
【００５７】
自動設定キーＫｊは、すでに記憶されている投影条件ファイルにしたがってプロジェクタ装置１０の各投影条件を一括して自動設定させる際にクリック操作するもので、図示する如くショートカットキー「Ａ」の操作でも同様の指示が可能となるものとする。
【００５８】
このようにキー操作ウィンドウＫＷが上記ＰＣの画面に表示された状態で、以後どのキーが指示操作されるかによって対応した動作を実行する。
【００５９】
具体的には、まずすでに記憶されている投影条件を使用せず、新規に設置作業を行なうか否かを判断する（ステップＡ０２）。
【００６０】
ここで、新規に設置作業を行なう場合には、キー操作ウィンドウＫＷの高さキーＫｄの操作により上記脚駆動部４５で調整脚部２２ａ〜２２ｄの前後の脚長を加減するよう操作し、投影対象となるスクリーンに投影される投影画像（何も表示されていない白画像）の高さ位置を調整させる（ステップＡ０３）。
【００６１】
次に、必要に応じて同じく上記キー操作ウィンドウＫＷの左右キーＫｅの操作により上記脚駆動部４５で調整脚部２２ａ〜２２ｄの左右の脚長を加減するよう操作し、投影対象となるスクリーンに投影される投影画像（何も表示されていない白画像）の左右の傾きを調整させる（ステップＡ０４）。
【００６２】
その後、キー操作ウィンドウＫＷのズームキーＫｃの操作によりレンズモータ４１で投影レンズ１２中のズームレンズを移動させ、投影対象となるスクリーンに投影される投影画像が適正な大きさとなるようにその投影画角（ズーム倍率）を調整させる（ステップＡ０５）。
【００６３】
その後、続けてキー操作ウィンドウＫＷのＡＦキーＫａとＡＫＳＣキーＫｂとを操作することにより、自動合焦と台形補正とをプロジェクタ装置１０の制御部４２により自動的に実行させ（ステップＡ０６，Ａ０７）、以上で投影条件の設定に関する一通りの作業を完了する。
【００６４】
ここで、この投影条件をファイル化してパーソナルコンピュータＰＣ内に記憶するか否かを選択設定するもので（ステップＡ０８）、記憶する場合には上記キー操作ウィンドウＫＷの設定入力キーＫｈを操作する。
【００６５】
この設定入力キーＫｈが操作されたことで、ステップＡ０８で投影条件を記憶するものと判断すると、次いで時点でその投影条件のデータに対応する場所名を入力する状態に遷移する（ステップＡ０９）。
【００６６】
図６は、この設定入力キーＫｈの操作に対してパーソナルコンピュータＰＣの画面で表示される、設置場所の入力ウィンドウＷ１を例示するものであり、ここでは「設置位置」の情報として、投影距離、水平角度、垂直角度、及びズーム（Ｚｏｏｍ）倍率が表示される一方で、「設置場所」として場所名「本社会議室  Ａ」とその他の情報「営業会議」とが日時の情報と共に入力設定されている状態を示す。ここで、日時の情報については、上述した如く自動的に入力設定されるものとする。
【００６７】
このように場所名、その他の入力を受付けながら、同時に入力設定を終了して入力された内容を記憶する指示がなされるのを待機するもので、これはキー操作ウィンドウＫＷの設定記憶キーＫｉが操作されたか否かにより判断する（ステップＡ１０）。
【００６８】
しかして、ステップＡ１０で設定記憶キーＫｉが操作され、投影条件のデータの記憶が指示されたと判断すると、上記図６に示したように「設置位置」の内容を投影条件として、「設置場所」及び日時の情報と共にパーソナルコンピュータＰＣの例えばｃドライブ（ハードディスク装置）内の所定のファイルフォルダに記憶設定し（ステップＡ１１）、以上でこの一連の投影条件の設定に関する処理を完了する。
【００６９】
以後は、必要に応じてこのプログラムを終了し（ステップＡ１２）、プレゼンテーション用のプログラム等、投影ファイルを選定して投影を実行する動作に移行する。
【００７０】
なお、上記ステップＡ０８でキー操作ウィンドウＫＷの設定入力キーＫｈが操作されず、投影条件をファイル化してパーソナルコンピュータＰＣ内に記憶することはしないと判断した場合には、上記ステップＡ０９以下の処理は実行せずにそのままこの図４の処理を終了する。
【００７１】
後日、このプロジェクタ装置１０を上記図６で示した設置場所に再度設置する場合には、再び図４による処理を開始し、プログラムを立ち上げてキー操作ウィンドウＫＷを表示させた上で設定表示キーＫｇを操作する。
【００７２】
この設定表示キー１７ｇの操作によりステップＡ０２で新規設置ではなく、過去に投影条件のファイルを記憶しているものと判断すると、記憶されている投影条件のファイル名を日付と場所名、及びその他の情報と共に一覧表示した上で（ステップＡ１３）、そのいずれか１つが選択されるのを待機する（ステップＡ１４）。
【００７３】
図７は、この設定表示キーＫｇの操作によりパーソナルコンピュータＰＣの画面に表示される、過去にこのプロジェクタ装置１０を使用してその投影条件を記憶した場所の一覧表示ウィンドウＷ２を例示するものである。
【００７４】
ここで、パーソナルコンピュータＰＣのキーボードの操作あるいはポインティングデバイスによるポインタＰでの直接操作によりその設置場所が選択されると、ステップＡ１４でこれが判断され、パーソナルコンピュータＰＣ内の当該ファイルフォルダから選択された投影条件のファイルデータ一式が読出されて、パーソナルコンピュータＰＣの画面にその内容が表示される（ステップＡ１５）。
【００７５】
図８は、このときパーソナルコンピュータＰＣの画面で表示される、場所名「本社会議室  Ａ」の投影条件ウィンドウＷ３を例示するものである。同図に示す如く、画面の左側と中央では「設置場所」と「設置位置」に関する詳細な説明が表示される一方で、画面の右側では上記「設置位置」に基づくプロジェクタ装置１０と投影対象となるスクリーンとの関係が視覚的に表現されて、その内容の確認をユーザに促すものとなっている。
【００７６】
この状態で、さらにキー操作ウィンドウＫＷの自動設定キーＫｊが操作されるか、またはキーボードの「Ｅｓｃ」キーが操作されるかで投影条件の内容を確定するかどうかを判断する（ステップＡ１６）。
【００７７】
しかして、上記図８に示した表示画面の状態から自動設定キーＫｊが操作されると、ステップＡ１６でこれを判断し、確認した投影条件の内容に基づいてＵＳＢケーブルＣＡ１を介して当該投影条件のファイルデータ一式がプロジェクタ装置１０へ転送され、その各部、具体的には脚駆動部４５により調整脚部２２ａ〜２２ｄの各脚長が、レンズモータ４１により投影レンズ１２でのズーム角度と合焦位置が、表示駆動部３５により空間的光変調素子３６で形成する画像の矩形範囲が、それぞれ設定され（ステップＡ１７）、以上で投影条件の自動設定を終えたものとして、このプログラムを自動的に終了させ（ステップＡ１２）、以上で図４の処理を一旦終了する。
【００７８】
なお、上記ステップＡ１５で選択した投影条件の内容を画面表示した状態からキーボードの「Ｅｓｃ」キーが操作された場合には、ステップＡ１６でこれを判断して、上記ステップＡ１３の一覧表示の画面に戻るものとする。
【００７９】
このように、パーソナルコンピュータＰＣに接続したプロジェクタ装置１０を設置して投影動作を行なった場合には、その投影条件を随時パーソナルコンピュータＰＣ側で取得して記憶させておけば、同じ場所で２度目以降設置する際の投影条件を再設定により一括して自動化させることができ、設置作業を大幅に簡素化できる。
【００８０】
この場合、パーソナルコンピュータＰＣ側に記憶できる投影条件として、１箇所だけでなく複数箇所の設置位置に対応した投影条件をその識別情報と共に記憶し、識別情報を選択指定することで対応する投影条件を再設定するようにしたので、パーソナルコンピュータＰＣとプロジェクタ装置１０とを接続して複数の場所で使い回す場合にもそれぞれの設置位置に対応して投影条件を再設定により一括して自動化させることができる。
【００８１】
その場合、基本的に大型の表示画面とキーボードによる日本語入力システムを有しているパーソナルコンピュータＰＣを用い、ユーザが任意に設置場所名を識別名として入力可能とすることにより、複数のユーザがそのパーソナルコンピュータＰＣに接続されたプロジェクタ装置１０を使用する場合でも、即時必要な投影条件を選択することができ、無用の混乱を招くことなく、より使い勝手を向上できる。
【００８２】
なお、上記実施の形態では、図７に示した如く過去にプロジェクタ装置１０を使用してその投影条件を記憶した場所の一覧表示の画面として、日付、場所、及びその他の情報を表示させるものとしたが、投影条件の設定後に実際に投影した画像データファイルの識別情報、例えばパーソナルコンピュータＰＣ内に記憶されている場所とその画像ファイル名、及び拡張子を併せて記憶させておき、その内容を確認するようにしてもよい。
【００８３】
図９は、設定表示キーＫｇの操作によりパーソナルコンピュータＰＣの画面に表示される、過去にこのプロジェクタ装置１０を使用してその投影条件を記憶した場所の他の一覧表示ウィンドウＷ４を例示するものである。
【００８４】
この場合、例えば日付「２００３年５月２０日」に場所「本社会議室Ａ」で「（パーソナルコンピュータＰＣの）ｃドライブ内の「Ｍｙ  Ｄｏｃｕｍｅｎｔｓ」というファイルフォルダに記憶されているファイル名「カタログ」というＪＰＥＧ（静止画）データを投影した、というように、投影した画像の内容までも一目で理解できるため、過去の投影内容をより容易に把握し、必要なものを選択することが可能となる。
【００８５】
また、上記実施の形態では、プロジェクタ装置１０にパーソナルコンピュータＰＣをＵＳＢケーブルＣＡ１を用いて接続することで、各種制御情報の送受を行なうものとして説明したが、画像データをパーソナルコンピュータＰＣからプロジェクタ装置１０へ出力するＲＧＢケーブルＣＡ２の接続も含めて、有線接続に限るものではなく、一般にＢｌｕｅｔｏｏｔｈやＩＥＥＥ８０２．１１ａ（または８０２．１１ｂ，８０２．１１ｇ）で示される無線ＬＡＮ技術を用いるものとしてもよい。
【００８６】
なお、上記実施の形態にあっては、プロジェクタ装置１０が調整脚部２２ａ〜２２ｄの各脚長、投影レンズ１２の合焦位置とズーム角（投影画角）、及び空間的光変調素子３６で表示する矩形の光像による台形補正をすべて調整可能であるものとして説明したが、本発明はそれらすべてを調整可能としたプロジェクタ装置のみを対象とするものではなく、それらのうちの少なくとも２つの要因を一括して自動化できるものであれば、個々の要因の自動化を指示するキー操作を行なう場合に比して設置時の作業を簡素化できる点で、充分有用であるものと考える。
【００８７】
また、上記実施の形態では、投影光軸が、投影対象となるスクリーンの面に対する鉛直方向と投影光軸とがなす「ずれ角」を自動台形補正に必要な情報として記憶するものとして説明したが、そのような「ずれ角」を記憶して再設定を行なう毎に自動台形補正のための演算を行なうのではなく、自動台形補正で直接使用することが可能な補正値、すなわち矩形の画像をどの方向にどれだけの比率で歪めて空間的光変調素子３６で表示駆動すれば、結果的に正しい矩形で投影表示されるのかを示す数値を記憶するものとしてもよい。
【００８８】
その他、本発明は上記実施の形態に限らず、その要旨を逸脱しない範囲内で種々変形して実施することが可能であるものとする。
【００８９】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【００９０】
【図１】本発明の実施の一形態に係る投影システムの接続構成を示す図。
【図２】同実施の形態に係るプロジェクタ装置単体の外観構成を示す斜視図。
【図３】同実施の形態に係るプロジェクタ装置の電子回路の機能構成を示すブロック図。
【図４】同実施の形態に係るパソコンが実行する投影条件設定用のプログラムの内容を示すフローチャート。
【図５】同実施の形態に係るパソコン画面に表示されるキー操作ウィンドウを例示する図。
【図６】同実施の形態に係るパソコン画面に表示される設置場所の入力ウィンドウを例示する図。
【図７】同実施の形態に係るパソコン画面に表示される過去の投影条件を記憶した場所の一覧表示ウィンドウを例示する図。
【図８】同実施の形態に係るパソコン画面に表示される投影条件ウィンドウを例示する図。
【図９】同実施の形態に係るパソコン画面に表示される過去の投影条件を記憶した場所の他の一覧表示ウィンドウを例示する図。
【符号の説明】
【００９１】
１０…プロジェクタ装置、１１…本体ケーシング、１２…投影レンズ、１３…測距センサ、１４…Ｉｒ受信部、１８…スピーカ（ＳＰ）、１９…入出力コネクタ部、２０…Ｉｒ受信部、２１…ＡＣアダプタ接続部、２２ａ〜２２ｄ…調整脚部、３１…入出力インタフェース（Ｉ／Ｆ）、３２…画像変換部、３３…表示エンコーダ、３４…ビデオＲＡＭ、３５…表示駆動部、３６…空間的光変調素子、３７…リフレクタ、３８…光源ランプ、３９…カラーホイール、４０…ミラー、４１…レンズモータ（Ｍ）、４２…制御部、４５…脚駆動部、４６…測距処理部、４７…音声処理部、ＣＡ１…ＵＳＢケーブル、ＣＡ２…ＲＧＢケーブル、ＫＷ…キー操作ウィンドウ、Ｐ…ポインタ、ＰＣ…パーソナルコンピュータ、ＳＢ…システムバス。
【図１】
2006025232.tif 000003
【図２】
2006025232.tif 000004
【図３】
2006025232.tif 000005
【図４】
2006025232.tif 000006
【図５】
2006025232.tif 000007
【図６】
2006025232.tif 000008
【図７】
2006025232.tif 000009
【図８】
2006025232.tif 000010
【図９】
2006025232.tif 000011